(57)【要約】  【課題】  廃棄物処分場での浸出水の発生を抑制する。  【解決手段】  廃棄物処分場１００が備える廃棄物投棄用の凹面１０に投棄された廃棄物３０の上面に、その周囲に他の部分よりも厚みの大きい壁部を備えたものであり、遮水性のあるシート材４０を配し、アンカー５０で固定する。壁部は、気密性のある気室４２に空気を充填することで形成されている。降雨があったとしても、シート材４０に降った雨水は壁部に囲まれた凹部４３内に溜まるため、雨水が廃棄物３０へ含浸するのを抑制できる。【選択図】    図５
2005193126.tif 000002
【特許請求の範囲】
【請求項１】
廃棄物投棄用の凹面に投棄された廃棄物に雨水が含浸するのを抑制する方法であって、
遮水性を持つシートであり、その周縁部に他の部分よりも厚みの大きくされた壁部を持つとともに、その壁部に囲まれた凹部を持つシート材を、前記廃棄物の上面の少なくとも一部を覆うようにして敷設する過程、
を含んでいる、
廃棄物に雨水が含浸するのを抑制する方法。
【請求項２】
前記シート材が敷設されているときの降雨によって前記凹部に溜まった雨水を前記凹面の外部へ排水する過程を含む、
請求項１記載の方法。
【請求項３】
前記シート材として、折り畳み、又は巻取りが可能なものを用い、
必要に応じて前記シート材を敷設し、或いは撤去する、
請求項１又は２記載の方法。
【請求項４】
敷設した前記シート材を、前記廃棄物に対して着脱自在な状態で固定する過程を含む、
請求項１〜３のいずれかに記載の方法。
【請求項５】
廃棄物投棄用の凹面に投棄された廃棄物に雨水が含浸するのを抑制するために用いるシート材であって、
遮水性を持つシートであり、その周縁部に他の部分よりも厚みの大きくされた壁部を持つとともに、その壁部に囲まれた凹部を持つ、
シート材。
【請求項６】
前記シート材は、折り畳み、又は巻取り可能なものである、
請求項５記載のシート材。
【請求項７】
前記壁部は、前記凹部を囲むように配された、シート状の素材によって気密に、且つ気体又は液体の出し入れ可能に形成された中空の気室に気体又は液体を充填することによって形成されるようになっている、
請求項５又は６記載のシート材。
【請求項８】
前記シート材の周縁部に、当該シート材を前記廃棄物へ固定するための固定部材が設けられている、
請求項５〜７のいずれかに記載のシート材。
【発明の詳細な説明】
【技術分野】
【０００１】
本発明は、廃棄物投棄用の凹面に投棄された廃棄物に雨水が含浸するのを抑制する技術に関する。
【背景技術】
【０００２】
廃棄物処分場は、地面を掘り下げ、或いは揚壁を構築するなどして設けられた凹面を備えている。廃棄物は、この凹面に順次投棄される。
【０００３】
ところで、廃棄物処分場では、凹面内に投棄された廃棄物に雨水が降ることによって生じる浸出水が、凹面から外部の土壌に漏水しないようにすることが極めて重要となっている。
浸出水の漏水防止のために最も汎用されているのが、凹面の表面全体に遮水シートを敷設する技術である。合成樹脂遮水シートやゴム遮水シートよりなる高い遮水性能を有する遮水シートを凹面の全体に敷設することによって、浸出水の外部への漏水を防止するのである。
【０００４】
このような技術を用いることによって、廃棄物処分場の外部へ浸出水が漏水するのを防止できる。しかしながら、漏水しなかった浸出水は、遮水シートによって覆われた凹面に溜まることになる。このような点を考慮して、現存する廃棄物処分場では、凹面に溜まった浸出水を外部へ排出する排水設備を備えているのが一般的になっている。
ところで、この排水設備はコスト高になり易い。凹面に溜まった浸出水は、廃棄物が含んでいた好ましくない物質を含んでいることがあるため、上述の排水設備乃至その下流側には、かかる好ましくない物質を浸出水から除去するための水処理施設が必要となるからである。
【０００５】
このように、廃棄物処分場における浸出水はその取扱に苦慮せざるを得ないものである。
しかしながら、上述の技術はいずれも、発生してしまった浸出水をどのように処理すべきかという視点からのものである。これに対して、浸出水を発生させないようにするにはどうすればいいかという視点から、浸出水に対応する技術も提案されている。それは、廃棄物処分場全体を屋根付きの建築物で覆い、降雨によって廃棄物処分場の凹面内の廃棄物に雨水が入らないようにするという技術である。
浸出水は、基本的に、廃棄物処分場の凹面に雨水が入り込むことによって発生するのだから、廃棄物処分場の全体を屋根付きの建築物で覆えば、浸出水が発生しなくなる。これによれば、上述の如き排水設備は不要となる。
しかしながら、この技術でも屋根付きの建築物を建設する必要があるため、結局コストが高くつきがちである。
【発明の開示】
【発明が解決しようとする課題】
【０００６】
本発明は、かかる課題を解消するものであり、廃棄物投棄用の凹面に投棄された廃棄物に雨水が含浸するのを抑制することのできる、比較的安価な技術を提供するものである。
【課題を解決するための手段】
【０００７】
上述の課題は、以下の発明によって解決される。
本願発明は、廃棄物処分場の廃棄物投棄用の凹面に投棄された廃棄物に雨水が含浸するのを抑制する方法である。そして、この方法は、遮水性を持つシートであり、その周縁部に他の部分よりも厚みの大きくされた壁部を持つとともに、その壁部に囲まれた凹部を持つシート材を、前記廃棄物の上面の少なくとも一部を覆うようにして敷設する過程を含んでいる。
この方法であれば、シート材を必要に応じて（例えば、降雨のありそうなときに）廃棄物の上に敷設すれば、仮に降雨があった場合、シート材に降った雨水はその凹部へ溜まり、廃棄物へ含浸しなくなるので、雨水の廃棄物への含浸を抑制できることになる。また、この方法は、基本的に、シート材を必要に応じて敷設するだけなので、廃棄物処分場の全体を屋根付きの建築物で覆う技術に見られたコスト高という不具合も生じない。
なお、この方法では、シート材は、廃棄物の全面を覆ってもいいが、必ずしもその必要はない。シート材で廃棄物の全面を覆えば、浸出水の発生をより効果的に抑制できることになる。
【０００８】
廃棄物に雨水が含浸するのを抑制する本願方法は、前記シート材が敷設されているときの降雨によって前記凹部に溜まった雨水を凹面の外部へ排水する過程を含んでもよい。
もちろん、太陽熱などでの自然な蒸発に任せても良いが、凹部に溜まった雨水を例えば、凹部に溜まった雨水が一定量を超えた場合に外部へ排水するようにすれば、雨水が廃棄物へ含浸して浸出水が生じることをより一層避けられるようになる。
【０００９】
廃棄物に雨水が含浸するのを抑制する本願方法で用いる前記シート材は、折り畳み、又は巻取りが可能なものとすることができる。そのようなシート材を用い、必要に応じて前記シート材を敷設し、或いは撤去するようにすると便利である。
廃棄物に雨水が含浸するのを抑制するだけなら、シート材を廃棄物の上面に敷設したままでも構わないが、廃棄物処分場の凹面には次々と廃棄物が投棄される。かかる廃棄物の投棄は、廃棄物処分場を区切って、一部ずつ行われるのが通常である。例えば、その時点で廃棄物の投棄がなされる部分以外の廃棄物の上面を上記シート材で覆い、その時点で廃棄物の投棄がなされる部分を上記シート材で覆うことなく露出させれば、廃棄物の投棄のための作業性と、廃棄物への雨水の含浸の抑制とを、両立させられる。このような点を考慮すれば、シート材を必要に応じて敷設し、或いは撤去することで、廃棄物の投棄のための作業性と、廃棄物への雨水の含浸の抑制とを、両立させ易くなる。
【００１０】
本願発明の方法は、敷設した前記シート材を、前記廃棄物に対して着脱自在な状態で固定する過程を含んでもよい。このような固定を行えば、風などでシート材が移動するなどの不具合を防げるようになる。
かかる固定は、後述する固定部材を備えるシート材を用いて行うことができる。また、単にシート材の何箇所か（例えば、凹部の何箇所か）に重りを置くことで行うことができる。
【００１１】
本願発明は、また、上述の課題を解決するための以下のようなシート材を提供する。
本願発明のシート材は、廃棄物投棄用の凹面に投棄された廃棄物に雨水が含浸するのを抑制するために用いるシート材である。このシート材は、遮水性を持つシートであり、その周縁部に他の部分よりも厚みの大きくされた壁部を持つとともに、その壁部に囲まれた凹部を持つ。
このシート材は、廃棄物に雨水が含浸するのを抑制する上述の本願方法に用いることができる。
【００１２】
シート材は、折り畳み、又は巻取り可能なものとしてもよい。これによる利点は既に述べたとおりである。
シート材を、折り畳み、又は巻取り可能なものとするための具体的な構成は不問であるが、例えば以下のようにすることができる。例えば、シート材の前記壁部を、前記凹部を囲むように配された、シート状の素材によって気密に、且つ気体又は液体の出し入れ可能に形成された中空の気室に気体又は液体を充填することによって形成するようにすれば、シート材を、折り畳み、又は巻取り可能にできる。
シート材を、折り畳み、又は巻取る場合には、壁部が邪魔になりがちである。しかしながら、シート材の前記壁部を、前記凹部を囲むように配された、シート状の素材によって、気密に、且つ気体又は液体の出し入れ可能に形成された中空の気室に気体又は液体を充填することによって形成するようにすれば、この気室から気体又は液体を抜取ることで、気室、即ち壁部を減容できる。壁部をこのような構成にしておけば、シート材を折り畳み、又は巻き取るにあたって困難が少ない。
【００１３】
本願発明によるシート材の周縁部には、当該シート材を廃棄物へ固定するための固定部材を設けてもよい。これにより、シート材が風などによって移動することを防止できるようになる。
固定部材は、例えば、壁部の外側に設けられる。固定部材の構成はどのようなものでもよいが、例えば、それを貫通して廃棄物にアンカーを打ち込んだり、その上に重りを載置できるシートとすることができる。このシートは、アンカーを打ち込んで用いる場合には、アンカーを貫通させるための孔を備えるものであってもよい。固定部材は、壁部の外側の全周に設けられていてもよいし、壁部の外側の一部に設けられていてもよい。壁部の外側の一部に設けられる場合、固定部材は複数であってもよい。
【発明を実施するための最良の形態】
【００１４】
以下、本発明の好ましい一実施形態を、図面を参照しながら詳細に説明する。
【００１５】
図１に示したのが、この実施形態における廃棄物に雨水が含浸するのを抑制する方法が実施される廃棄物処分場１００である。この廃棄物処分場は、凹面１０を備えている。この実施形態における凹面１０は、地面を掘り下げて形成している。もっとも、凹面１０は、これに限らず、平らな底面の周りに、所定高さの揚壁を構築することなどにより形成してもよい。凹面１０の表面は、この実施形態ではコンクリートで覆われている。この実施形態による廃棄物処分場１００では、上記凹面１０の全面に、遮水シート２０が配されている。
凹面１０には、廃棄物３０が投棄される。
【００１６】
この廃棄物３０に、雨水が含浸しないように、廃棄物に雨水が含浸するのを抑制する方法が実施される。
かかる方法は、以下のように実施する。
まず、廃棄物３０の上面の所定の範囲に、図２の側断面図、図３の平面図に示したように、シート材４０を敷設する。
【００１７】
かかるシート材４０は、これには限られないが、この実施形態では、遮水性能を有する樹脂製のシートによって形成されている。
シート材４０を形成するシートの厚さは、この実施形態では３ｍｍとしてある。もっともこの厚さは、１〜５ｍｍ程度の範囲で適当に決めればよい。また、シート材４０の平面形状は、この実施形態では矩形とされている。もっとも、シート材４０の平面形状は、廃棄物処分場１００の凹面１０の形状などにしたがって適当に決めればよい。この実施形態におけるシート材４０の形状は、廃棄物３０の上面全体を覆うようになってはいないが、廃棄物３０の上面全体を覆うようになっていてもよい。
シート材４０の周縁部には、シート材４０を形成するシートの周縁部分を折り返し、その折り返した部分の先端をシートの周縁部のやや内側よりに溶着することで、気密な部屋である気室４２が作られている。この気室４２には、図示を省略のバルブがあり、それを介して内部に気体又は液体（この実施形態では空気）を充填できるようになっている。また、上記バルブは弁を備えており、それを開放することで気室４２内部の空気を外部へ排出できるようになっている。
シート材４０は、また、その４隅に固定部材４１を備えている。この固定部材４１は、シート材４０を形成する上述のシートと同じ素材でできており、帯状に形成され、その一端をシート材４０の４隅のいずれかに溶着させることで、シート材４０に固定されている。なお、固定部材４１は、シート材４０の全周を取囲む一連のものでもよい。
【００１８】
この状態で、気室４２にバルブから空気を送り込む。これにより、シート材４０の気室４２が膨張する。このとき、気室４２は、シート材４０の他の部分よりも大きな厚みを持つようになり、本願発明における壁部として機能することになる。なお、シート材４０の気室４２により囲まれた部分は本願発明における凹部４３となる。この状態を図４に示す。
【００１９】
次いで、固定部材４１を貫通させつつ、アンカー５０を廃棄物３０へ打ち込む。アンカー５０は、ボルトを大型にしたような形状をしており、棒状の本体５１と、その一端に設けられた本体よりも大径の頭部５２を備えている。このアンカー５０を打ち込むことで、固定部材４１が、ひいてはシート材４０が廃棄物３０へ固定されることになる。その状態を図５に示す。
なお、固定部材４１には、アンカー５０を貫通させるための孔が開いている場合もある。
また、固定部材４１に所定の重さの重りを載置するだけでも、固定部材４１の廃棄物３０上面への固定をなすことができる。アンカー５０を用いずに重りを用いてかかる固定を行ってもよい。
なお、固定部材４１の廃棄物３０上面への固定は、気室４２への空気の送り込みに先んじて行ってもよい。
【００２０】
以上説明したシート材４０の敷設は、必要に応じて行う。例えば、降雨がありそうな場合に行う。降雨があると、シート材４１の凹部４３には雨水が溜まる。このとき、この実施形態では、凹部４３から溜まった雨水があふれない程度に、凹部４３に溜まった雨水を外部へ排出する。これは、例えば一般的なポンプとパイプ、ホースなどを用いて行うことができる。
降雨の可能性が低くなった場合などシート材４０が必要なくなった場合、或いは廃棄物の投棄作業などを行う際などシート材４０がない方が都合がよくなった場合には、シート材４０を撤去する。
撤去は、上述したバルブの弁を操作して気室４２から空気を抜くことで、気室４２を減容し、アンカー５０を抜いて固定部材４１の廃棄物３０への固定を解いてから、シート材４０を巻き取ることで行う。気室４２の減容とアンカー５０を抜くのとはどちらを先に行ってもよい。シート材４０を巻き取る代わりに、シート材４０を折り畳んでシート材４０を撤去してもよい。
なお、この実施形態では、気室４２に気体である空気を送り込むこととしたが、例えば水などの液体を気室４２に送り込むことにしてもよい。
【図面の簡単な説明】
【００２１】
【図１】本発明の一実施形態の廃棄物に雨水が含浸するのを抑制する方法が実施される廃棄物処分場の一例を示す側断面図。
【図２】図１で示した廃棄物処分場にシート材を敷設した状態を示す側断面図。
【図３】図２で示したのと同じ状態を示す平面図。
【図４】図２で示したシート材の気室に空気を充填した状態を示す側断面図。
【図５】図４で示したシート材の固定部材を貫通させて廃棄物にアンカーを打ち込んだ状態を示す側断面図。
【符号の説明】
【００２２】
１０  凹面
３０  廃棄物
４０  シート材
４１  固定部材
４２  気室
５０  アンカー
【図１】
2005193126.tif 000003
【図２】
2005193126.tif 000004
【図３】
2005193126.tif 000005
【図４】
2005193126.tif 000006
【図５】
2005193126.tif 000007